(57)【要約】【課題】引出を引き出さずとも内引出内の収納物を容易に取り出すことができるキャビネットを提供すること。【解決手段】前板８は、前後方向に揺動可能に前板８の下端部を収納箱６の正面側に枢支されており、収納箱６の上方には、前板収納部１０の後方に近接配置され、収納物２３を収納可能である内引出２２を備え、前板８と内引出２２との間には、引出１の前方側に向けて所定開度揺動される前板８に応じて、前板収納部１０と内引出２２との近接状態を維持しながら内引出２２を前方に向けて引き出す連動手段１５，１６が設けられている。【選択図】図６
2011212274.tif 000002
【特許請求の範囲】
【請求項１】
上方に向けて開口し収納物を収納可能な収納箱と、該収納箱の正面側に配置され背面に収納物を収納可能な前板収納部を備える前板とから構成されるとともに、前方側に向けて開口するキャビネット本体内に収納される収納位置と、前記キャビネット本体外に引き出される引出位置と、の間で移動可能に案内される引出を備えたキャビネットであって、
前記前板は、前後方向に揺動可能に前記前板の下端部を前記収納箱の正面側に枢支されており、前記収納箱の上方には、前記前板収納部の後方に近接配置され、収納物を収納可能である内引出を備え、
前記前板と前記内引出との間には、前記収納箱の前方側に向けて所定開度揺動される前記前板に応じて、前記前板収納部と前記内引出との近接状態を維持しながら該内引出を前方に向けて引き出す連動手段が設けられていることを特徴とするキャビネット。
【請求項２】
前記連動手段は、前記前板に連結されている第１リンク部材を備え、該第１リンク部材と前記内引出とには磁性体が設けられており、両該磁性体は、少なくとも前記引出が前記収納位置に収納配置されている際に磁着されていることを特徴とする請求項１に記載のキャビネット。
【請求項３】
前記連動手段は、前記第１リンク部材の移動速度を前記キャビネット本体の背面側に向けて転換する伝達部と、該伝達部の出力によって前記キャビネット本体の背面側に向けて移動可能な第２リンク部材と、を備え、前記キャビネット本体には、前記第２リンク部材の前記キャビネット本体の背面側への移動を阻止する阻止部材が設けられており、前記内引出を前方に向けて一定量引き出した後に前記引出を前記引出位置に向けて引き出すことを特徴とする請求項１または２に記載のキャビネット。
【請求項４】
前記内引出には、前方を向く開口部が形成されていることを特徴とする請求項１ないし３のいずれかに記載のキャビネット。
【請求項５】
前記開口部は、前記前板収納部の上端部よりも上方に配置されていることを特徴とする請求項４に記載のキャビネット。
【発明の詳細な説明】
【技術分野】
【０００１】
本発明は、上方に向けて開口し収納物を収納可能な収納箱と、収納箱の正面側に配置され背面に収納物を収納可能な前板収納部を備える前板とから構成されるとともに、前方側に向けて開口するキャビネット本体内に収納される収納位置と、キャビネット本体外に引き出される引出位置と、の間で移動可能に案内される引出を備えたキャビネットに関する。
【背景技術】
【０００２】
従来、前端部に調理小物ホルダ（前板収納部）を背面に有する前板が設けられた引出と、この引出の上方に配置された網棚（内引出）と、を備えるキッチン（キャビネット）がある。（例えば、特許文献１参照）。
【先行技術文献】
【特許文献】
【０００３】
【特許文献１】特開２００８−２５３３２１号公報（第６頁、第４図）
【発明の概要】
【発明が解決しようとする課題】
【０００４】
しかしながら、特許文献１に記載のキッチン（キャビネット）にあっては、網棚（内引出）に収納されている収納物を取り出すには、一旦引出を引き出した後に網棚を引き出す必要があり、網棚内の収納物のみを取り出したい場合等には不便であるという問題がある。
【０００５】
本発明は、このような問題点に着目してなされたもので、引出を引き出さずとも内引出内の収納物を容易に取り出すことができるキャビネットを提供することを目的とする。
【課題を解決するための手段】
【０００６】
前記課題を解決するために、本発明のキャビネットは、
上方に向けて開口し収納物を収納可能な収納箱と、該収納箱の正面側に配置され背面に収納物を収納可能な前板収納部を備える前板とから構成されるとともに、前方側に向けて開口するキャビネット本体内に収納される収納位置と、前記キャビネット本体外に引き出される引出位置と、の間で移動可能に案内される引出を備えたキャビネットであって、
前記前板は、前後方向に揺動可能に前記前板の下端部を前記収納箱の正面側に枢支されており、前記収納箱の上方には、前記前板収納部の後方に近接配置され、収納物を収納可能である内引出を備え、
前記前板と前記内引出との間には、前記収納箱の前方側に向けて所定開度揺動される前記前板に応じて、前記前板収納部と前記内引出との近接状態を維持しながら該内引出を前方に向けて引き出す連動手段が設けられていることを特徴としている。
この特徴によれば、前板を収納箱の前方側に向けて所定開度揺動しただけで、内引出が前板収納部との近接状態を維持しながら前方に引き出されるので、前板収納部から収納物を取り出し易いばかりでなく、内引出の前方部分に収納されている収納物も取り出すことかでき、引出を引出位置に向けて引き出した後に内引出を引き出す２段アクションを必要とせず使い勝手がよい。
また、前板の前板収納部と内引出の前方部に使用頻度の高い物を収納しておけば、通常使用時には引出自体を収納位置から引出位置に向けて引き出さずとも、前板を収納箱の前方に向けて揺動させるだけですみ、使用者にとって利便性がよい。
【０００７】
本発明のキャビネットは、
前記連動手段は、前記前板に連結されている第１リンク部材を備え、該第１リンク部材と前記内引出とには磁性体が設けられており、両該磁性体は、少なくとも前記引出が前記収納位置に収納配置されている際に磁着されていることを特徴としている。
この特徴によれば、引出を引出位置に向けて引き出した場合でも、内引出と第１リンク部材との両磁性体による連結をいつでも解除することで収納箱の上方を開放し、収納箱からの収納物の取り出しを容易に行うことができる。
【０００８】
本発明のキャビネットは、
前記連動手段は、前記第１リンク部材の移動速度を前記キャビネット本体の背面側に向けて転換する伝達部と、該伝達部の出力によって前記キャビネット本体の背面側に向けて移動可能な第２リンク部材と、を備え、前記キャビネット本体には、前記第２リンク部材の前記キャビネット本体の背面側への移動を阻止する阻止部材が設けられており、前記内引出を前方に向けて一定量引き出した後に前記引出を前記引出位置に向けて引き出すことを特徴としている。
この特徴によれば、前板の収納箱の前方側への揺動を、第２リンク部材のキャビネット本体の背面側への移動に転換し、第２リンク部材が阻止部材を押圧する力によって引出を引出位置に向けて引き出すことができるとともに、引出と内引出とを時間差で引き出すことができるので、内引出または前板収納部からのみ収納物を取り出したい場合には、内引出とともに引出を引き出す必要がない。
【０００９】
本発明のキャビネットは、
前記内引出には、前方を向く開口部が形成されていることを特徴としている。
この特徴によれば、前板が引出の前方側に向けて所定開度揺動された際に、使用者は、前方に引き出された内引出内から開口部を介して容易に収納物を取り出すことができる。
【００１０】
本発明のキャビネットは、
前記開口部は、前記前板収納部の上端部よりも上方に配置されていることを特徴としている。
この特徴によれば、前板が収納箱の前方側に向けて所定開度揺動された際に、使用者は、内引出内から開口部を介して取り出す収納物を前板収納部に引掛けることなく取り出すことができる。
【図面の簡単な説明】
【００１１】
【図１】実施例における引出を示す斜視図である。
【図２】引出の側板を示す一部拡大斜視図である。
【図３】引出の側板を示す横断平面図である。
【図４】収納位置に配置された引出の側板を示す縦断側面図である。
【図５】図４における引出の側板のＡ−Ａ断面図である。
【図６】当接部が阻止部材を押圧するまで前板が正面側に揺動された状態を示す縦断側面図である。
【図７】引出位置に引き出された引出を示す縦断側面図である。
【発明を実施するための形態】
【００１２】
本発明に係るキャビネットを実施するための形態を実施例に基づいて以下に説明する。
【実施例】
【００１３】
実施例に係るキャビネットにつき、図１から図７を参照して説明する。以下、図４、図６、図７の紙面左側と、図３の紙面下側及び図５の紙面手前側をキャビネットの正面側（前方側）として説明する。
【００１４】
図１の符号１は、本発明の適用されたキャビネットにおいて、キャビネット本体２内に収納配置された引出である。この引出１は、図１に示すように、正面側に開口するキャビネット本体２内に上下２段が収納されている。この引出１は、前方と上方とに開口して内部に皿や鍋等の収納物５を収納可能な略方形状の収納箱６を有しており、収納箱６の正面側には、上端部に使用者が把持するための把手７が取り付けられた前板８が配置されている。
【００１５】
また、それぞれの引出１の左右側方には側板２ａ，２ａが設けられている。これら側板２ａ，２ａは、キャビネット本体２の左右両側板を構成するほか、引出１同士の間に設けられる仕切板を構成している。
【００１６】
また、側板２ａ，２ａには、図示しないレールが設けられている。これらレールによって、引出１は、使用者によって使用者の手前方向（前方向）に向けて長さＬ１だけ引き出される引出位置（図７参照）と、この引出位置から使用者によりキャビネット本体２の背面側に向けて押し込まれることで前板８がキャビネット本体２の側板２ａの前端部に当接して、引出１が閉鎖された状態の収納位置との間で前後方向に移動自在に支持されている。
【００１７】
次に、引出１について詳述する。尚、本実施例の引出１は左右対称に構成されているため、本実施例では引出１の右方側のみを説明し、引出１の左方側については説明を省略する。
【００１８】
前板８の背面には、収納箱６内の収納物５よりも使用頻度の高いまな板や包丁等の収納物９を収納するための本発明における前板収納部としての収納篭１０が取り付けられている。
【００１９】
更に、収納箱６を構成する側板６ａは、図２及び図３に示すように、前端部をカバー体１２によって被覆されている。前板８はこのカバー体１２内の前端下部に設けられた左右方向を向く枢軸１３によって下端部を枢支され、前後方向に揺動可能となっている。このため、前板８の前後方向への揺動によって収納箱６の正面側への開放及び閉塞がなされるようになっている。尚、図４に示すように、引出１が収納位置に収納配置されているときの前板８の重心Ｇは、前板８をカバー体１２に枢支する枢軸１３よりも収納箱６の背面側に配置されている。したがって、引出１が収納位置に収納配置され前板８が収納箱６の正面側を閉塞している際には、前板８が自重によって収納箱６の前方側に揺動することが無い。
【００２０】
また、図３、図４及び図５に示すように、側板６ａは、内部が中空部１４に形成されている。この中空部１４の上端部には、前後方向を向く略直方体形状のスライド板１５が前後方向に移動自在に配置されている。具体的には、中空部１４の上端部の左右側部には、左右方向を向く溝部６ｄが側板６ａの前後方向略全長に亘って形成されており、スライド板１５の上端部には、これら溝部６ｄ内に配置される摺接片１５ａが突設されている。
【００２１】
このため、スライド板１５は溝部６ｄ内で両摺接片１５ａ，１５ａによって吊持されている状態で、中空部１４内を水平に前後方向に摺動する。尚、スライド板１５の下面には、前後方向略全長に亘ってラック部１５ｂが形成されている。
【００２２】
そして、スライド板１５の前端部には、棒状のステー１６の一端が左右方向を向く枢軸によって揺動可能に枢支されている。このステー１６の他端は、側板６ａの正面に形成された貫通孔６ｅとカバー体１２に形成された貫通孔１２ａとを介して前板８の背面の右端部に左右方向を向く枢軸によって揺動可能に枢着されている。つまり、スライド板１５とステー１６とで本発明における第１リンク部材を構成しており、スライド板１５は前板８の前後方向への揺動に応じて前後方向に中空部１４内を移動可能となっている。尚、このステー１６の一端と他端及びスライド板１５は、前板８が収納箱６の正面側を閉塞している状態では、上下位置が略同一となるように配置されている。
【００２３】
尚、スライド板１５は、摺接片１５ａが溝部６ｄの前端部に当接することでそれ以上の収納箱６の正面側への移動が規制されているため、スライド板にステー１６を介して接続されている前板８も収納箱６の前方側への揺動が規制されている。
【００２４】
図３、図４及び図５に示すように、中空部１４内のスライド板１５下方には、ラック部１５ｂと噛み合うピニオンギア（歯車）１７ａが左右方向を向く枢軸によって枢支されている。このピニオンギア１７ａの同一の枢軸上には、ピニオンギア１７ａよりも小径に形成されたピニオンギア１７ｂが枢支されている。
【００２５】
更に、ピニオンギア１７ｂの下方には、上面にピニオンギア１７ｂに噛み合うラック部１８ａが形成された前後方向を向く直方体形状の本発明における第２リンク部材としてのスライド板１８が、スライド板１５の移動に従い中空部１４内を前後方向に移動自在に配置されている。このため、スライド板１５の前後方向への移動は、ピニオンギア１７ａ、１７ｂによって減速されてスライド板１８に伝達されるようになっている。つまり、これらピニオンギア１７ａ，１７ｂによって本発明における伝達部が構成されている。
【００２６】
図２、図４及び図５に示すように、側板６ａの外側面には、中空部１４に貫通する貫通長孔６ｆが側板６ａの前後方向を向いて形成されており、この貫通長孔６ｆ内には、スライド板１８の右側部が挿入配置されている。また、貫通長孔６ｆの上下には、貫通長孔６ｆの前後方向略全長に亘って係止溝部６ｇ，６ｇが形成されており、スライド板１８の右側部の上下には、これら係止溝部６ｇ，６ｇ内に挿入配置される係止片１８ｂが突設されている。このため、スライド板１８は貫通長孔６ｆ内で左右方向に脱落することなく前後方向に摺動するようになっている。
【００２７】
更に、側板６ａの上端部には、中空部１４に貫通する貫通孔６ｈが側板６ａの前後方向を向いて形成されている。そして、スライド板１５には、側板６ａの上方に向けてアーム部１５ｃが貫通孔６ｈを介して突設されている。尚、このアーム部１５ｃの上端後部には、後述する永久磁石２０に磁着するための本発明における磁性体としての金属片２１が取り付けられている。
【００２８】
キャビネット本体２の側板２ａの内側面には、平面視Ｌ字形状の阻止部材１９が取り付けられており、スライド板１８の前端部には、収納箱６の外側方に向けて当接部１８ｃが貫通長孔６ｆを介して突設されている。これら阻止部材１９と当接部１８ｃとは、引出１がキャビネット本体２内の収納位置に収納配置されているときには前後方向に離間して配置されている。
【００２９】
図１及び図４に示すように、前板８の背面側かつ収納箱６の上方には、前方及び上方に向けて開口する開口部２２ａを有し箸やナイフ、フォーク等の使用頻度の高い収納物２３を収納するための内引出２２が配置されている。この内引出２２は、引出１が収納位置に収納配置されている際の内引出２２の前端部と収納篭１０の上端部とは、前後方向に所定の間隙２４を保ちながら略同一の高さ位置に配置されている。
【００３０】
また、引出１が収納位置に収納配置されている際の内引出２２の開口部２２ａは、収納篭１０の上端部よりも上方に配置されていることが好ましく、収納箱６ａの上端部と内引出２２の前端部とは前後方向で間隙２４を形成して近接配置されている。
【００３１】
尚、内引出２２の底部には、本発明における磁性体としての永久磁石２０が配設されている。この永久磁石２０は、引出１が収納位置に配置されている際にアーム部１５ｃに取り付けられた金属片２１に後方から磁着可能となっている。このため、引出１が収納位置に収納配置されている際の内引出２２の引出位置に向けての移動は、永久磁石２０が金属片２１を介してアーム部１５ｃに当接するため規制されている。
【００３２】
次に、このように構成された引出１の収納位置から引出位置への引き出しに伴う動作について説明する。先ず、図４及び図６に示すように、引出１が収納位置に収納配置されている状態から、使用者が把手７を把持し、把手７を収納箱６の前方側に引くことで前板８を収納箱６の前方側に向けて揺動させる。このとき、前板８の収納箱６の前方側への揺動に応じて、スライド板１５は、キャビネット本体２の前方側への移動がなされる。加えて、前板８の重心Ｇが前板８をカバー体１２に枢支している枢軸１３よりも収納箱６の前方側まで移動されると、前板８の荷重自体を前板８の正面側に揺動させる力として使用することができる。
【００３３】
ステー１６の一端と他端とは、前板８が収納箱６の正面側を閉塞している状態では略同一の高さ位置に配置されているため、前板８の揺動角度が小さい間はステー１６の一端と他端とがともに略水平に移動するので、スライド板１５の正面側への移動によって、アーム部１５ｃに金属片２１と永久磁石２０を介して連結されている内引出２２が収納篭１０との近接状態を維持しながらキャビネット本体２の前方側に向けて移動されるとともに、ラック部１５ｂがピニオンギア１７ａを図４における側面視反時計回りに回転させる。同時に、ピニオンギア１７ａと同一枢軸上に枢支されているピニオンギア１７ｂも図４における側面視反時計回りに回転する。
【００３４】
このとき、使用者が把手７を略水平に収納箱６の前方側に向けて引くことで、使用者が把手７を収納箱６の前方側に引く力が略同一高さ位置に配置されたステー１６の一端と他端及びスライド板１５に効率よく伝達される。
【００３５】
ピニオンギア１７ｂは、ピニオンギア１７ａの回転速度を減速することで、前板８が収納箱６の前方側に向けて揺動される際に前板８にかかる力よりも増強された力をラック部１８ａに伝達するようになっている。このため、スライド板１８は、ピニオンギア１７ｂの図４における側面視反時計回りの回転によって中空部１４内をキャビネット本体２の背面側に向けて摺動する。
【００３６】
図６に示すように、前板８が前方側に所定開度揺動することで、当接部１８ｃが阻止部材１９に正面側から当接する。このときの前板８の上端部は使用者の手を前板８の背面側に上方から挿通させる程度の前後幅に開放され、内引出２２の前端部は側板２ａの前端部よりも前方に配置される。このため、本実施例の引出１は、引出１を収納位置に収納配置した状態のまま、前板８を収納箱６の前方側に所定開度揺動させるのみで収納篭１０内の収納物９お呼び内引出２２の前端部の収納物２３を取り出すことができるようになっている。
【００３７】
そして、使用者は、この当接部１８ｃが阻止部材１９に正面側から当接している状態から更に前板８を正面側に向けて揺動させることで、ピニオンギア１７ａ、１７ｂを介して阻止部材１９を当接部１８ｃによって背面側に向けて押圧し、収納箱６に正面側に向けての反力を生じさせる。
【００３８】
このため、図７に示すように、収納箱６はこの反力によってキャビネット本体２内から押圧されることで、キャビネット本体２内の収納位置から引出位置に向けて引き出され、スライド板１８は当接部１８ｃが阻止部材１９を押圧する位置を維持した状態で貫通長孔６ｆ内を相対移動する。この収納箱６の引出位置に向けての引き出しと同時に、アーム部１５ｃに金属片２１と永久磁石２０を介して連結されている内引出２２が更に前方に向けて引き出される。つまり、スライド板１５、ステー１６、ピニオンギア１７ａ、１７ｂ及びスライド板１８は、本発明における連動手段を構成している。
【００３９】
そして、スライド板１５が溝部６ｄの前端部に当接することによって前板８の正面側への揺動が終了し、引出１は収納箱６をキャビネット本体２内から正面側に距離Ｌ１だけ引き出された引出位置に配置される。
【００４０】
尚、前板８の前方側への揺動が終了した後は、引出１を引出位置から更に使用者が把手７を把持して引き出すことによって、前板８の揺動を維持したまま引出１を全開量引き出すことができる。更に尚、引出１を全開量引き出した状態から使用者が収納箱６内に収納されている収納物５を取り出すには、内引出２２をキャビネット本体２の背面側に向けて押圧することによって永久磁石２０と金属片２１の磁着を解除させ、内引出２２のみをキャビネット本体２の背面側に向けて押し戻す。このようにすることで、収納箱６の上方が完全に開放され、使用者は収納箱６内から収納物５を取り出すことができる。
【００４１】
更に尚、永久磁石２０と金属片２１との磁着の解除は、引出１が全開量引き出される途上で自動的に行われるようにしてもよく、この場合は、引出１を全開量引き出した途上から使用者が収納箱６内から収納物５を取り出すことができる。
【００４２】
引出１を引出位置から収納位置に収納配置させる場合は、使用者が前板８を背面側に向けて押し込むことで、引出１を引出位置から収納位置に移動させながら、前板８を前板８の重心Ｇが前板８をカバー体１２に枢支している枢軸１３よりも収納箱６の背面側に配置されるまでキャビネット本体２の背面側に向けて揺動させ、収納箱６の正面側を前板８によって閉塞する。
【００４３】
尚、前述したように使用者が永久磁石２０と金属片２１の磁着が解除された状態で、キャビネット本体２の背面側に内引出２２を押し戻した場合には、引出１が収納位置に向けて移動する途上で永久磁石２０と金属片２１が再び磁着される。このため、内引出２２は、永久磁石２０と金属片２１が磁着した後は、引出１が収納位置に収納配置されるまで引出１とともに移動する。
【００４４】
以上、本実施例におけるキャビネットにあっては、前板８は、前後方向に揺動可能に前板８の下端部を収納箱６の正面側に枢支されており、収納箱６の上方には、収納篭１０の後方に近接配置され、収納物２３を収納可能である内引出２２を備え、前板８と内引出２２との間には、収納箱６の前方側に向けて所定開度揺動される前板８に応じて、収納篭１０と内引出２２との近接状態を維持しながら内引出２２を前方に向けて引き出す連動手段が設けられているので、収納篭１０から収納物９を取り出し易いばかりでなく、内引出２２の前方部分に収納されている収納物２３も取り出すことかでき、引出１を引出位置に向けて引き出した後に内引出２２を引き出す２段アクションを必要とせず使い勝手がよい。
【００４５】
また、前板８の収納篭１０と内引出２２の前方部に使用頻度の高い物を収納しておけば、通常使用時には引出１自体を収納位置から引出位置に向けて引き出さずとも、前板８を収納箱６の前方に向けて揺動させるだけですみ、使用者にとって利便性がよい。
【００４６】
また、連動手段は、前板８に連結されているスライド板１５及びステー１６を備え、スライド板１５と内引出２２とには永久磁石２０及び金属片２１が設けられており永久磁石２０及び金属片２１は、少なくとも引出１が収納位置に収納配置されている際に磁着されているので、引出１を引出位置に向けて引き出した場合でも、内引出２２とスライド板１５との永久磁石２０及び金属片２１による連結をいつでも解除することで収納箱６の上方を開放し、収納箱６からの収納物５の取り出しを容易に行うことができる。
【００４７】
また、連動手段は、前記第１リンク部材の移動速度を前記キャビネット本体の背面側に向けて転換するピニオンギア１７ａ，１７ｂと、ピニオンギア１７ａ，１７ｂの出力によってキャビネット本体２の背面側に向けて移動可能なスライド板１８と、を備え、キャビネット本体２には、スライド板１８のキャビネット本体２の背面側への移動を阻止する阻止部材１９が設けられており、内引出２２を前方に向けて一定量引き出した後に引出１を引出位置に向けて引き出すので、前板８の収納箱６の前方側への揺動を、スライド板１８のキャビネット本体２の背面側への移動に転換し、スライド板１８が阻止部材１９を押圧する力によって引出１を引出位置に向けて引き出すことができるとともに、引出１と内引出２２とを時間差で引き出すことができるので、内引出２２または収納篭１０からのみ収納物９，２３を取り出したい場合には、内引出２２とともに引出１を引き出す必要がない。
【００４８】
また、内引出２２には、前方を向く開口部２２ａが形成されているので、前板８が収納箱６の前方側に向けて所定開度揺動された際に、使用者は、前方に引き出された内引出２２内から開口部２２ａを介して容易に収納物２３を取り出すことができる。
【００４９】
また、開口部２２ａは、収納篭１０の上端部よりも上方に配置されているので、前板８が収納箱６の前方側に向けて所定開度揺動された際に、使用者は、内引出２２内から開口部２２ａを介して取り出す収納物２３を収納篭１０に引掛けることなく取り出すことができる。
【００５０】
以上、本発明の実施例を図面により説明してきたが、具体的な構成はこれら実施例に限られるものではなく、本発明の要旨を逸脱しない範囲における変更や追加があっても本発明に含まれる。
【００５１】
例えば、前記実施例では、磁性体として内引出２２に永久磁石２０を取り付けるとともにアーム部１５ｃに金属片２１を取り付けたが、内引出２２を磁性を有する金属材によって構成すると共にアーム部１５ｃに永久磁石を取り付けてもよく、また、内引出２２とアーム部１５ｃに極性の異なる永久磁石を取り付けるようにしてもよい。
【００５２】
また、前記実施例では、前板８を収納箱６の前方に向けて所定開度揺動させて内引出２２の前端部を側板２ａの前端部よりも前方に配置した後、更に前板８を収納箱６の前方に向けて揺動させることで引出１を引出位置に向けて引き出したが、前板８の収納箱６の前方に向けての揺動範囲を内引出２２の前端部を側板２ａの前端部よりも前方に配置するまでの範囲に限定し、引出１の引出位置に向けての引き出しは、使用者が把手７を収納箱６の前方側に向けて引張ることで行うようにしてもよい。
【符号の説明】
【００５３】
１                引出
１ａ              側板
２                キャビネット本体
５                収納物
６                収納箱
６ａ              側板
８                前板
９                収納物
１０              収納篭（前板収納部）
１５              スライド板（連動手段，第１リンク部材）
１６              ステー（連動手段，第１リンク部材）
１７ａ，１７ｂ    ピニオンギア（連動手段，減速手段）
１８              スライド板(連動手段，第２リンク部材)
１９              阻止部材
２０              永久磁石（磁性体）
２１              金属片（磁性体）
２２              内引出
２２ａ            開口部
２３              収納物
２４              間隙
Ｇ                重心
【図１】
2011212274.tif 000003
【図２】
2011212274.tif 000004
【図３】
2011212274.tif 000005
【図４】
2011212274.tif 000006
【図５】
2011212274.tif 000007
【図６】
2011212274.tif 000008
【図７】
2011212274.tif 000009